(57)【要約】【課題】  従来の輸液装置では、チューブの脱着時に固定された内壁と公転するローラとの隙間にチューブを挿入する際には、ロータを回しながら徐々にチューブを挿入するものであるため手間がかかり、誤装着の懸念もあった。また、チューブ装着時にはガイドローラとチューブとの衝突は避けられない。【解決手段】  本発明の輸液装置は、チューブをしごく内壁部材とローラとの隙間が拡大可動可能であり、チューブのガイドローラが屈折可動可能であってチューブの脱着操作を容易にしたことを特徴とする。【選択図】  図６
2006095031.tif 000002
【特許請求の範囲】
【請求項１】
原動機にて１個以上のローラを有するロータを回転させ、ローラと内壁でチューブをしごき液体を送出させる輸液装置であって、チューブがローラの回転軌跡から外れないようにするために設けられたガイドを有し、このガイドが屈折可能であることを特徴とする輸液装置。
【請求項２】
チューブをしごく内壁の少なくとも一部をローラから離接自在ならしめたことを特徴とする請求項１記載の輸液装置。
【請求項３】
上記ガイドが支持軸によって支持されており、この支持軸の一部がピンを介してロータに傾動自在に支持されており、上記支持軸の遊端が上記ロータに形成した弧状のガイド溝に沿って移動自在であることを特徴とする請求項１または２記載の輸液装置。
【請求項４】
上記ガイドが支持軸によって支持されており、この支持軸が屈折可能な弾性体であることを特徴とする請求項１または２記載の輸液装置。
【発明の詳細な説明】
【技術分野】
【０００１】
本発明は、輸液装置に係り特に原動機の回転により、薬液、血液等を搬送するチューブをしごくローラを公転駆動させ、薬液、血液等を人体に注入する輸液装置に関するものである。
【背景技術】
【０００２】
チューブは、固定された内壁と公転するローラとの隙間に装着され、公転するローラにしごかれることにより薬液等が送出される。
【０００３】
【特許文献１】特開昭６１−２６８８８７号公報
【発明の開示】
【発明が解決しようとする課題】
【０００４】
然しながらこのような従来のものではチューブを装着する隙間はチューブが潰れるほどの隙間になるよう設定されているため、ローラを有するロータを回しながら上記隙間に徐々にチューブを挿入する必要があり、チューブの装着には、時間がかかり、装着性は良くない状況である。
【０００５】
また、チューブの取り外しについても装着と同様であり、狭い隙間に狭まっているチューブを、固定された内壁と公転するローラとの隙間から取り出すには、相当な引き出し力及びチューブの損傷に気を付ける等、作業性が悪い状況である。
【０００６】
また、チューブ挿入の際チューブがローラの移動軌跡から外れない位置に挿入されるようロータ外周にチューブのガイドローラを設けているものでは、チューブ挿入の際チューブがガイドローラに接触してその挿入に支障を生ずると共に、チューブの誤装着や傷みを生ずるおそれがあった。
【０００７】
本発明は上記の欠点を除くようにしたものである。
【課題を解決するための手段】
【０００８】
本発明の輸液装置は、原動機にて１個以上のローラを有するロータを回転させ、ローラと内壁でチューブをしごき液体を送出させる輸液装置であって、チューブがローラの回転軌跡から外れないようにするために設けられたガイドを有し、このガイドが屈折可能であることを特徴とする。
【０００９】
また、本発明の輸液装置は、チューブをしごく内壁の少なくとも一部をローラから離接自在ならしめたことを特徴とする。
【００１０】
上記ガイドは、支持軸によって支持されており、この支持軸の一部がピンを介してロータに傾動自在に支持されており、上記支持軸の遊端が上記ロータに形成した弧状のガイド溝に沿って移動自在であることを特徴とする。
【００１１】
また、上記ガイドが支持軸によって支持されており、この支持軸が屈折可能な弾性体であることを特徴とする。
【発明の効果】
【００１２】
本発明の輸液装置においては、内壁部分とローラとの隙間を極めて簡単、容易に拡大することができるので、操作性を向上させることが可能であると共に、チューブのガイドローラが屈折可能であるためチューブ挿入の際のチューブの傷みを防ぐことができる。
【発明を実施するための最良の形態】
【００１３】
以下図面によって本発明の実施例を説明する。
【実施例１】
【００１４】
図１及び図２において１は板状のロータ、２はこのロータ１の外周からその一部がはみ出るよう外周近くに回転自在に枢支した円周方向に互いに離間した複数個の例えば３個のローラ、３はハウジング本体、４は上記ローラ２を含むロータ１の外周をその少なくとも１８０°に亘り取り囲むよう上記ハウジング本体３に形成した内壁面、５は上記ハウジング本体３の一端に形成した開口、６は上記ハウジング本体３の内壁面４と、上記ロータ１の外周面間に形成される所望の間隙、７は上記ロータ１を回転せしめる駆動源、８は上記ハウジング本体３の開口５から上記間隙６内に挿入し、上記ロータ１を取り巻くようにした、薬液、血液等を搬送するチューブ、９は上記チューブ８挿入の際、チューブ８が上記ローラ２の移動軌跡から外れない位置にガイドするよう上記ロータ１の外周に設けたガイドローラを示し、本発明においては上記ハウジング本体３の一端開口５に対向する上記内壁面４の一部分４′を含む内壁部分１０を上記ハウジング本体３から分離せしめ、これをスライド手段１１によって上記ハウジング本体３に対し、その一端開口５に接近するＸ方向にスライド自在ならしめると共に、上記ガイドローラ９を屈折可能ならしめる。
【００１５】
上記スライド手段１１は、上記内壁部分１０を上記ハウジング本体３に相対的に上記ハウジング本体３の一端開口５に接近するＸ方向にガイドせしめるガイドロッド１２と、上記ハウジング本体３に回動自在に枢支した、上記内壁部分１０を貫通して延びる回転軸１３と、この回転軸１３にその基部を固定した回動レバー１４と、上記内壁部分１０内に形成した空洞部内に配置されたその基部を上記回転軸１３に固定したカムとにより構成し、回動レバー１４を図２に示す位置から反時計方向に回動すれば、空洞部内でカムが反時計方向に回動し、その先端部が内壁部分１０を回転軸１３を基点として上記Ｘ方向に押し、図３及び図４に示すようにチューブ８をロータ１上のローラ２に押し付けるようになり、ロータ１の回転によってチューブ８は上記隙間６内でしごかれ、チューブ８内の液体が送出されるようになる。
【００１６】
また、上記ガイドローラ９は図５に示すように、ガイド軸１５に回動自在に支持せしめ、このガイド軸１５の上記ガイドローラ９側部分を上記ロータ１の外周部分にピン１６を介して傾動自在に枢支し、上記ガイド軸１５の遊端部にピン１７を設け、このピン１７を上記ロータ１内に形成した弧状ガイド溝１８に移動自在に係合せしめ、チューブ８挿入の際チューブ８が上記ガイドローラ９に接触した場合図５に示す状態から図６に示す状態にガイドローラ９が傾動し、チューブ８が正しく装着された後はトーションバネ（図示せず）等により図５に示す位置に復帰されるようにする。
【００１７】
なお、上記ガイド溝１８等を設けることなく上記ガイド軸１５を弾性体により構成して図７の状態から図８の状態に上記ガイドローラ９が変位されるようにしても良い。
【００１８】
本発明の輸液装置によれば、回動レバー１４を図４に示す位置から図２に示すように回転軸１３を中心に時計方向に回動したとき内壁部分１０が反Ｘ方向に移動してロータ１との間に十分な隙間が形成されるようになるため、チューブ８の脱着が極めて容易となり、操作性を向上することができると共に、チューブ８挿入の際、チューブ８が上記ガイドローラ９に接触した場合ガイドローラ９が傾動し、その後は復帰されるようにしたのでチューブ８を正しく装着でき、また、装着の際チューブ８に傷を付けるおそれがない。
【００１９】
なお、上記回動レバー１４は手動で操作するほか従来既知の手段で電動化することも可能である。
【００２０】
また、チューブしごき動作中に内壁部分１０に加わる反力は上記回転軸１３によって受けるか、または反力のベクトル方向をカムの回転軸中心方向に向けることにより対応可能である。
【図面の簡単な説明】
【００２１】
【図１】本発明の輸液装置の横断平面図である。
【図２】図１に示す輸液装置の縦断正面図である。
【図３】本発明の輸液装置の運転状態における横断平面図である。
【図４】図３に示す輸液装置の縦断正面図である。
【図５】本発明の輸液装置におけるガイドローラの説明図である。
【図６】図５に示すガイドローラの動作説明図である。
【図７】本発明の輸液装置におけるガイドローラの他の実施例の説明図である。
【図８】図７に示すガイドローラの動作説明図である。
【符号の説明】
【００２２】
１    ロータ
２    ローラ
３    ハウジング本体
４    内壁面
４′  一部分
５    開口
６    間隙
７    駆動源
８    チューブ
９    ガイドローラ
１０    内壁部分
１１    スライド手段
１２    ガイドロッド
１３    回転軸
１４    回動レバー
１５    ガイド軸
１６    ピン
１７    ピン
１８    弧状ガイド溝
【図１】
2006095031.tif 000003
【図２】
2006095031.tif 000004
【図３】
2006095031.tif 000005
【図４】
2006095031.tif 000006
【図５】
2006095031.tif 000007
【図６】
2006095031.tif 000008
【図７】
2006095031.tif 000009
【図８】
2006095031.tif 000010